(57)【特許請求の範囲】
【請求項１】
パネル本体に設けられた下向きに開口する空調風の吹出し口と、前記吹出し口に回動自在に設けられ、前記空調風の吹出し方向を調整するルーバと、前記パネル本体の前記吹出し口の外側に配設され、前記パネル本体に対して面一となる収納位置と、前記吹出し口から吹出される空調風に対向するルーバ方向位置との間で回動自在とされているエアウィングと、前記エアウィングを前記２位置間において回動させる回動機構とを備える空気調和装置の制御装置であって、
前記ルーバの位置情報と、該ルーバの位置から吹出される前記空調風を遮る前記エアウィングの位置情報とを対応付ける対応情報を格納する格納手段と、
前記対応情報に基づいて、現在の前記ルーバの位置に対応する前記エアウィングの位置を決定し、決定された位置に前記エアウィングを移動させる制御手段と
を具備する制御装置。
【請求項２】
前記対応情報は、前記吹出し口ごとに、前記ルーバの位置情報と前記エアウィングの位置情報とが対応付けられる請求項１に記載の制御装置。
【請求項３】
前記対応情報は、前記空気調和装置の運転モードに応じて、前記ルーバの位置情報と前記エアウィングの位置情報とが対応付けられる請求項１または請求項２に記載の制御装置。
【請求項４】
前記対応情報は、前記空気調和装置の複数の運転モードのうち特定の運転モードの場合の前記ルーバの位置情報に対応する前記エアウィングの位置情報を基準情報として保有し、
前記制御手段は、前記空気調和装置の運転状態に応じて、前記基準情報に基づいて決定される前記エアウィングの位置を補正する請求項１から請求項３のいずれかに記載の制御装置。
【請求項５】
前記制御手段は、前記特定の運転モードが送風であり、前記運転モードが冷房または除湿である場合に、前記エアウィングを前記基準情報より所定角度下方の位置に移動させる請求項４に記載の制御装置。
【請求項６】
前記制御手段は、前記特定の運転モードが送風であり、前記運転モードが暖房である場合に、前記エアウィングを前記基準情報より所定角度上方の位置に移動させる請求項４または請求項５に記載の制御装置。
【請求項７】
前記吹出し口から吹出される前記空調風の吹出温度が第１所定値以上である場合に、
前記制御手段は、前記エアウィングを前記基準情報よりも所定角度上方の位置に移動させる請求項４から請求項６のいずれかに記載の制御装置。
【請求項８】
前記吹出し口からの前記空調風の吹出温度が第２所定値以下である場合に、
前記制御手段は、前記エアウィングを前記基準情報よりも所定角度下方の位置に移動させる請求項４から請求項７のいずれかに記載の制御装置。
【請求項９】
前記吹出し口から吹出される前記空調風の吹出温度と室内機の周囲温度との温度差が第３所定値以上であり、前記特定の運転モードが送風であり、前記運転モードが冷房である場合に、
前記制御手段は、前記エアウィングを前記基準情報よりも所定角度下方の位置に移動させる請求項４から請求項８のいずれかに記載の制御装置。
【請求項１０】
前記吹出し口から吹出される前記空調風の吹出温度と、室内機の周囲温度との温度差が第３所定値以上であり、前記特定の運転モードが送風であり、前記運転モードが暖房である場合に、
前記制御手段は、前記エアウィングを前記基準情報よりも所定角度上方の位置に移動させる請求項４から請求項９のいずれかに記載の制御装置。
【請求項１１】
風量が第４所定値以下であり、前記特定の運転モードが送風であり、前記運転モードが冷房である場合に、
前記制御手段は、前記エアウィングを前記基準情報よりも所定角度下方の位置に移動させる請求項４から請求項１０のいずれかに記載の制御装置。
【請求項１２】
風量が第４所定値以下であり、前記特定の運転モードが送風であり、前記運転モードが暖房である場合に、
前記制御手段は、前記エアウィングを前記基準情報よりも所定角度上方の位置に移動させる請求項４から請求項１１のいずれかに記載の制御装置。
【請求項１３】
前記ルーバが揺動するスイング設定である場合に、
前記制御手段は、前記スイング設定が未設定とされる場合の前記ルーバの回動速度よりも遅い速度で、前記ルーバ及び前記エアウィングを揺動させる請求項１から請求項１２のいずれかに記載の制御装置。
【請求項１４】
前記エアウィングが有効とされている場合には、前記ルーバの可動範囲を、前記エアウィングが無効とされている場合の前記ルーバの可動範囲よりも狭くし、前記ルーバの可動範囲の下側の角度範囲を省略する請求項１から請求項１３のいずれかに記載の制御装置。
【請求項１５】
前記エアウィングが有効とされており、かつ、サーモオン状態とサーモオフ状態における吸込温度差が、所定のサーモオンオフ吸込温度差以上であると検出された場合には、
前記制御手段は、サーモオン状態とサーモオフ状態における吸込温度差が、所定の前記サーモオンオフ吸込温度差未満となるまで前記ルーバまたは前記エアウィングを移動させる請求項１から請求項１４のいずれかに記載の制御装置。
【請求項１６】
パネル本体に設けられた下向きに開口する空調風の吹出し口に回動自在に設けられ、前記空調風の吹出し方向を調整するルーバと、前記パネル本体の前記吹出し口の外側に配設され、前記パネル本体に対して面一となる収納位置と、前記吹出し口から吹出される空調風に対向するルーバ方向位置との間で回動自在とされているエアウィングと、前記エアウィングを前記２位置間において回動させる回動機構とを備える空気調和装置と、
請求項１から請求項１５のいずれかに記載の前記空気調和装置を制御する制御装置と
を備える空気調和システム。
【請求項１７】
パネル本体に設けられた下向きに開口する空調風の吹出し口と、前記吹出し口に回動自在に設けられ、前記空調風の吹出し方向を調整するルーバと、前記パネル本体の前記吹出し口の外側に配設され、前記パネル本体に対して面一となる収納位置と、前記吹出し口から吹出される空調風に対向するルーバ方向位置との間で回動自在とされているエアウィングと、前記エアウィングを前記２位置間において回動させる回動機構とを備える空気調和装置の制御方法であって、
前記ルーバの位置情報と前記エアウィングの位置情報とを対応付けた対応情報を格納手段に格納する第１工程と、
前記対応情報に基づいて、現在の前記ルーバの位置に対応する前記エアウィングの位置を決定し、決定された位置に前記エアウィングを移動させる第２工程と
を有する制御方法。
【発明の詳細な説明】
【技術分野】
【０００１】
本発明は、制御装置、及びそれを備えた空気調和システム、並びに制御方法に関するものである。
【背景技術】
【０００２】
従来、室内機から吹出される空調風は、吹出し口に設けられる風向ルーバ（以下「ルーバ」という）によって空調風の吹出し方向を調整可能としているが、ルーバの角度等によっては吹出し口の下に居る人に空調風が直接当たり、ドラフト感を与えてしまうことがあった。
下記特許文献１では、パネル本体に対して、吹出し口と対向する位置に空調風を遮って風向を変えるための羽根部材をオプション部品として追加設置することにより、ドラフト感を回避する方法が提案されている。
【先行技術文献】
【特許文献】
【０００３】
【特許文献１】特開２０１０−３２０６２号公報
【発明の概要】
【発明が解決しようとする課題】
【０００４】
しかしながら、特許文献１のようにオプション部品として追加設置された羽根部材は、ルーバの空調風を遮る位置にパネル本体に対して設置するだけであり、ルーバのように室内機から制御することはできない。また、ルーバによって吹出し方向が調整される機能は生かされず、快適性が損なわれるという問題があった。
【０００５】
本発明は、このような事情に鑑みてなされたものであって、ルーバによる風向制御と、ドラフト感の抑制とを両立し、快適性を維持できる制御装置、及びそれを備えた空気調和システム、並びに制御方法を提供することを目的とする。
【課題を解決するための手段】
【０００６】
上記課題を解決するために、本発明は以下の手段を採用する。
本発明は、パネル本体に設けられた下向きに開口する空調風の吹出し口と、前記吹出し口に回動自在に設けられ、前記空調風の吹出し方向を調整するルーバと、前記パネル本体の前記吹出し口の外側に配設され、前記パネル本体に対して面一となる収納位置と、前記吹出し口から吹出される空調風に対向するルーバ方向位置との間で回動自在とされているエアウィングと、前記エアウィングを前記２位置間において回動させる回動機構とを備える空気調和装置の制御装置であって、前記ルーバの位置情報と、該ルーバの位置から吹出される前記空調風を遮る前記エアウィングの位置情報とを対応付ける対応情報を格納する格納手段と、前記対応情報に基づいて、現在の前記ルーバの位置に対応する前記エアウィングの位置を決定し、決定された位置に前記エアウィングを移動させる制御手段とを具備する制御装置を提供する。
【０００７】
本発明の構成によれば、パネル本体に下向きに開口された吹出し口の外側に、パネル本体に対して面一となる収納位置と、吹出し口から吹出される空調風に対向するルーバ方向位置との間で回動自在とされたエアウィングを配設し、そのエアウィングを回動機構により収納位置と、ルーバ方向位置との２位置間において回動自在としている。ルーバの位置情報とエアウィングの位置情報とが対応付けられた対応情報に基づいて、現在のルーバの位置に対応するエアウィングの位置が決定され、決定されたエアウィングの位置となるようにエアウィングが回動され、移動される。
ルーバ位置によって吹出し口から吹出される空調風が下方に居る人に直接当たることでドラフト感を与えることがあるが、本発明によれば、ルーバの位置に応じて決定される位置にエアウィングが制御され空調風の流れを遮り、ドラフト感を低減することができる。
【０００８】
上記制御装置の前記対応情報は、前記吹出し口ごとに、前記ルーバの位置情報と前記エアウィングの位置情報とが対応付けられてもよい。
【０００９】
ルーバの位置情報とエアウィングの位置情報との対応付けが吹出し口ごとになされるので、吹出し口ごとにエアウィングの有効無効、或いはエアウィングの位置設定が切り替えられ、よりユーザの希望に沿う動作をさせることができる。
【００１０】
上記制御装置の前記対応情報は、前記空気調和装置の運転モードに応じて、前記ルーバの位置情報と前記エアウィングの位置情報とが対応付けられてもよい。
【００１１】
ルーバの位置情報とエアウィングの位置情報との対応付けが、運転モード（例えば、暖房、冷房、除湿、送風等）に応じてなされるので、エアウィングの有効無効、或いはルーバの位置に対応するエアウィングの位置を運転モードごとに設定でき、よりユーザの希望に沿う動作をさせることができる。
【００１２】
上記制御装置の前記対応情報は、前記空気調和装置の複数の運転モードのうち特定の運転モードの場合の前記ルーバの位置情報に対応する前記エアウィングの位置情報を基準情報として保有し、前記制御手段は、前記空気調和装置の運転状態に応じて、前記基準情報に基づいて決定される前記エアウィングの位置を補正してもよい。
【００１３】
特定の運転モードのルーバ位置情報に対するエアウィングの位置情報を基準とすることにより、エアウィングの制御が容易となる。
例えば、特定の運転モードは「送風」である。送風の場合は、吹出される空調風は周囲温度と等しいので、周囲温度と温度差がある空調風（例えば、冷房運転や除湿運転による冷たい空調風や暖房運転による温かい空調風等）のように吹出された空調風が上方に移動したり下方に移動したりすることがない。
【００１４】
上記制御装置の前記制御手段は、前記特定の運転モードが送風であり、前記運転モードが冷房または除湿である場合に、前記エアウィングを前記基準情報より所定角度下方の位置に移動させてもよい。
【００１５】
冷房または除湿の場合は、周囲温度よりも吹き出し温度が低く、吹出した空調風が送風時よりも下側に流れるので、エアウィングを基準より下方側に移動させることで、ドラフト感を防ぐことができる。
【００１６】
上記制御装置の前記制御手段は、前記特定の運転モードが送風であり、前記運転モードが暖房である場合に、前記エアウィングを前記基準情報より所定角度上方の位置に移動させてもよい。
【００１７】
暖房の場合は、周囲温度よりも吹き出し温度が高いため、吹出した空調風が基準となる送風時よりも上側に流れるので、エアウィングを基準より上方側に移動させることで、ドラフト感を防ぐことができる。
【００１８】
上記制御装置において、前記吹出し口から吹出される前記空調風の吹出温度が第１所定値以上である場合に、前記制御手段は、前記エアウィングを前記基準情報よりも所定角度上方の位置に移動させてもよい。
【００１９】
空調風の吹出温度が周囲温度よりも高い場合には、吹出された空調風が送風時よりも上側に流れる。そのため、エアウィングを上方側に移動させることで、ドラフト感を防ぐことができる。
【００２０】
上記制御装置において、前記吹出し口からの前記空調風の吹出温度が第２所定値以下である場合に、前記制御手段は、前記エアウィングを前記基準情報よりも所定角度下方の位置に移動させてもよい。
【００２１】
空調風の吹出温度が周囲温度よりも低い場合には、吹出された空調風が送風時よりも下側に流れる。そのため、エアウィングを下方側に移動させることで、ドラフト感を防ぐことができる。
【００２２】
上記制御装置において、前記吹出し口から吹出される前記空調風の吹出温度と室内機の周囲温度との温度差が第３所定値以上であり、前記特定の運転モードが送風であり、前記運転モードが冷房である場合に、前記制御手段は、前記エアウィングを前記基準情報よりも所定角度下方の位置に移動させてもよい。
【００２３】
周囲温度よりも吹出し温度が低いため、吹出した空調風が送風時よりも下側に流れる。そのため、エアウィングを下方側に移動させることで、ドラフト感を防ぐことができる。
【００２４】
上記制御装置において、前記吹出し口から吹出される前記空調風の吹出温度と、室内機の周囲温度との温度差が第３所定値以上であり、前記特定の運転モードが送風であり、前記運転モードが暖房である場合に、前記制御手段は、前記エアウィングを前記基準情報よりも所定角度上方の位置に移動させてもよい。
【００２５】
周囲温度よりも吹出し温度が高いため、吹出した空調風が送風時よりも上側に流れる。そのため、エアウィングを上方側に移動させることで、ドラフト感を防ぐことができる。
【００２６】
上記制御装置において、風量が第４所定値以下であり、前記特定の運転モードが送風であり、前記運転モードが冷房である場合に、前記制御手段は、前記エアウィングを前記基準情報よりも所定角度下方の位置に移動させてもよい。
【００２７】
風量が少ないと吹出される空調風の風速が小さく、周囲温度と吹出温度との温度差による浮力の影響が大きくなり、風向が変化しやすい。そのため、風量が少なく、冷房運転である場合には吹出した空調風がより下向きになりやすいことを勘案し、エアウィングを下方側に移動させることで、ドラフト感を防ぐことができる。
【００２８】
上記制御装置において、風量が第４所定値以下であり、前記特定の運転モードが送風であり、前記運転モードが暖房である場合に、前記制御手段は、前記エアウィングを前記基準情報よりも所定角度上方の位置に移動させてもよい。
【００２９】
風量が少ないと吹出される空調風の風速が小さく、周囲温度と吹出温度との温度差による浮力の影響が大きくなり、風向が変化しやすい。そのため、風量が少なく、暖房運転である場合には吹出した空調風がより上向きになりやすいことを勘案し、エアウィングを上方側に移動させることで、ドラフト感を防ぐことができる。
【００３０】
上記制御装置において、前記ルーバが揺動するスイング設定である場合に、前記制御手段は、前記スイング設定が未設定とされる場合の前記ルーバの回動速度よりも遅い速度で、前記ルーバ及び前記エアウィングを揺動させてもよい。
【００３１】
エアウィングがルーバに追いつけずに、ルーバからの空調風がエアウィングで遮れずに漏れる状況を防ぎ、確実にドラフト感を防ぐ。
【００３２】
上記制御装置において、前記エアウィングが有効とされている場合には、前記ルーバの可動範囲を、前記エアウィングが無効とされている場合の前記ルーバの可動範囲よりも狭くし、前記ルーバの可動範囲の下側の角度範囲を省略してもよい。
【００３３】
これにより、ドラフト感を防ぐとともに、吹出した空調風を吸込み口から吸い込んでしまうショートサーキットを防ぐことができる。
【００３４】
上記制御装置において、前記エアウィングが有効とされており、かつ、サーモオン状態とサーモオフ状態における吸込温度が、所定のサーモオンオフ吸込温度差以上であると検出された場合には、前記制御手段は、サーモオン状態とサーモオフ状態における前記吸込温度が所定のサーモオンオフ吸込温度未満となるまで前記ルーバまたは前記エアウィングを移動させてもよい。
【００３５】
これにより、ショートサーキットを防ぐことができる。
【００３６】
本発明は、パネル本体に設けられた下向きに開口する空調風の吹出し口に回動自在に設けられ、前記空調風の吹出し方向を調整するルーバと、前記パネル本体の前記吹出し口の外側に配設され、前記パネル本体に対して面一となる収納位置と、前記吹出し口から吹出される空調風に対向するルーバ方向位置との間で回動自在とされているエアウィングと、前記エアウィングを前記２位置間において回動させる回動機構とを備える空気調和装置と、前記空気調和装置を制御する上記いずれかに記載の制御装置とを備える空気調和システムを提供する。
【００３７】
本発明は、パネル本体に設けられた下向きに開口する空調風の吹出し口と、前記吹出し口に回動自在に設けられ、前記空調風の吹出し方向を調整するルーバと、前記パネル本体の前記吹出し口の外側に配設され、前記パネル本体に対して面一となる収納位置と、前記吹出し口から吹出される空調風に対向するルーバ方向位置との間で回動自在とされているエアウィングと、前記エアウィングを前記２位置間において回動させる回動機構とを備える空気調和装置の制御方法であって、前記ルーバの位置情報と前記エアウィングの位置情報とを対応付けた対応情報を格納手段に格納する第１工程と、前記対応情報に基づいて、現在の前記ルーバの位置に対応する前記エアウィングの位置を決定し、決定された位置に前記エアウィングを移動させる第２工程とを有する制御方法を提供する。
【発明の効果】
【００３８】
本発明は、ルーバによる風向制御と、ドラフト感の抑制とを両立し、快適性を維持できるという効果を奏する。
【図面の簡単な説明】
【００３９】
【図１】本発明に係る空気調和装置を下方から見た一部を破断した状態の斜視図である。
【図２】空気調和装置のパネル本体に設けられたエアウィングを収納位置とした状態の斜視図である。
【図３】空気調和装置のパネル本体に設けられたエアウィングをルーバ方向位置とした状態の斜視図である。
【図４】エアウィングを収納位置とするとともに、ルーバを閉位置としたときの位置関係を示す断面図である。
【図５】ルーバを水平吹出し位置とするとともに、エアウィングをそのルーバ方向位置としたときの位置関係を示す断面図である。
【図６】ルーバを水平吹出し位置とするとともに、エアウィングを閉位置としたときの位置関係を示す断面図である。
【図７】ルーバを下方吹出し位置とするとともに、エアウィングをそのルーバ方向位置としたときの位置関係を示す断面図である。
【図８】本発明に係る空気調和装置の制御装置の機能ブロック図である。
【発明を実施するための形態】
【００４０】
以下に、本発明の実施形態に係る制御装置、及びそれを備えた空気調和システム、並びに制御方法について図面を参照して説明する。
［第１実施形態］
以下、本発明の第１実施形態について、図１から図８を用いて説明する。
図１には、空気調和システム１００が示されており、空気調和システム１００は、制御装置５０と空気調和装置１とを備えている。
図１は、本実施形態に係る空気調和装置１を斜め下方から見た一部を破断した状態の斜視図を示しており、図２は、そのパネル本体に設けられたエアウィングを収納位置とした状態の斜視図、図３は、そのエアウィングをルーバ方向位置とした状態の斜視図が示されている。本実施形態における空気調和装置１は、図１に示されるように、室内の天井面に設置されるタイプの空気調和装置であって、ユニット本体２の下部に設けられるパネル本体３の４方向に吹出し口１４が設けられた構成の空気調和装置１が例示されている。
【００４１】
ユニット本体２は、天井内に設置される四方体形の下方が開口された箱体であり、内部の中心部位に設置されたターボファン４と、その周りを囲むように配置された四角形状に曲げ成形されている熱交換器５と、熱交換器５の下部に配置されたドレンパン６と、ドレンパン６の周囲壁とユニット本体２の内周面との間に形成された吹出し風路７と、ターボファン４の吸込み側に配置されたベルマウス８等を備えた構成とされている。なお、この空気調和装置１は、室外機に対して液管およびガス管からなる２本の冷媒配管９および電気配線１０を介して接続されることになる。
【００４２】
ユニット本体２の下面を覆うように設置される天井パネル、化粧パネルとも称されるパネル本体３は、略正方形状をなすパネルであって、中央部位に室内の空気を吸込むための開口（吸込み口）１１が設けられており、その吸込み口１１には、吸込みグリル１２が設置されている。吸込みグリル１２は、グリル内面側にエアフィルタ（図示略）が設置されており、そのエアフィルタを交換あるいは清掃するため、パネル本体３に対して、ワイヤ１３、図示省略の昇降モータ等を介して室内の床面近くまで降下されるように昇降自在に設置されている。なお、エアフィルタを自動清掃するため、エアフィルタ自動清掃機構を組み込んだ構成としてもよい。
【００４３】
また、パネル本体３には、室内空気の吸込み口１１の周りを取り囲むように、パネル本体３の４辺に対応して４方向にそれぞれ吹出し口１４が設けられており、各吹出し口１４から熱交換器５で冷却または加熱された空気が空調風として室内に吹出されるようになっている。４方向の吹出し口１４には、それぞれ空調風の吹出し方向（風向）を調整するためのルーバ１５が回動自在に設置されており、アクチュエータ（モータ）（図示略）を介して個別に独立して回動されるようになっている。
【００４４】
さらに、パネル本体３には、図２及び図３に示されるように、各吹出し口１４の外側に配設され、パネル本体３に対して面一となる収納位置（図２位置）と、吹出し口１４から吹出される空調風と対向するルーバ方向位置（図３位置）との間で回動自在とされているエアウィング１７が設けられている。エアウィング１７は、吹出し口１４と対向するルーバ方向位置にせり出すことにより空調風を遮って風向を変える平板状の部材であり、各吹出し口１４から吹出される空調風が下方に居る人に直接当たることによるドラフト感を低減あるいは解消するためのものである。
また、図２及び図３に示されるように、パネル本体３には人感センサ３０が設けられている。人感センサ３０は、対象領域の人の存在や人の位置を検出し、検出信号を制御装置５０に出力する。
【００４５】
エアウィング１７は、各吹出し口１４からルーバ方向に吹出される空調風と対向する位置にせり出して空調風を遮るウィング部１８と、そのウィング部１８の両端部に一体に設けられているアーム部１９とを備えた門型形状をなすものである。エアウィング１７は、アーム部１９の基端部がパネル本体３に対して、支軸（図示略）を介して回動自在に支持され、パネル本体３と面一となる収納位置（図２位置）と吹出し口１４から吹出される空調風と対向するルーバ方向位置（図３位置）との２位置間で回動可能とされている。以下に、エアウィング１７の具体的構成について、図４から図７を用いて詳しく説明する。
【００４６】
エアウィング１７のウィング部１８およびアーム部１９は、パネル本体３の一部を形成するものであり、図２に示される収納位置に回動されたとき、各々の表面（下面）がパネル本体３の表面（下面）と面一とされるようになっている。ウィング部１８は、吹出し口１４と同等の長さを有し、その外側に沿って配置され、パネル本体３の各辺の一部を形成する一定の幅寸法を有する樹脂製の平板状部材であり、その両端部にウィング部１８よりも幅の狭いアーム部１９が一体に成形された門型形状とされている。このウィング部１８および両アーム部１９の裏面側には、リブが一体に成形され、各々の強度および剛性が確保されるように構成されている。
【００４７】
また、両アーム部１９の基端部には、エアウィング１７をパネル本体３に対して回動自在に支持する支軸が一体に設けられている。更に、ウィング部１８には、基端側がウィング部１８の内端縁側に回動自在に支持され、エアウィング１７が収納位置に回動されたとき、外端側がウィング部１８の裏面に沿った収納位置（図４参照）とされ、エアウィング１７がルーバ方向位置に回動されたとき、外端側が上方に自立して空調風を遮る位置に回動（図５及び図７参照）するサブウィング２１が設けられている。
リモコンのＯＮ操作時、ルーバ１５を回動するアクチュエータの回動位置を検知し、その位置と対応したルーバ方向位置にエアウィング１７を回動する構成とされている。
【００４８】
例えば、図５に示されるように、ルーバ１５が水平方向吹出し位置とされているとき、エアウィング１７はその位置に対応したルーバ方向位置に回動され、自立したサブウィング２１がルーバ方向への空調風の流れを遮って変更することにより、ドラフト感を低減する。また、図７に示されるように、ルーバ１５が下方吹出し位置とされているとき、エアウィング１７はその位置に対応したルーバ方向位置に回動され、自立したサブウィング２１がルーバ方向への空調風の流れを遮って変更することにより、ドラフト感を低減または解消し得るようになっている。
【００４９】
また、特に空調風によるドラフト感を感じない場合や、積極的にドラフト感を得たい場合には、ルーバ１５から吹出される空調風を遮らない位置にエアウィング１７を移動させてもよいし、図６に示されるように、エアウィング１７を閉じてパネル本体３に対して面一となる収納位置にさせ、ルーバ１５のみを使用することとしてもよい。
【００５０】
制御装置５０は、例えば、マイクロコンピュータ等を内蔵し、各種センサや室外機に設けられるコントローラ等からのデータに基づいて冷凍サイクルを制御する。また、後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。
【００５１】
具体的には、制御装置５０は、図８に示されるように、格納部（格納手段）５１と、制御部（制御手段）５２とを備えている。
格納部５１は、ルーバ１５の位置情報と、該ルーバ１５の位置から吹出される空調風を遮るエアウィング１７の位置情報とを対応付ける対応情報を格納する。対応情報は、運転モード、吹出温度、吸込温度と吹出温度の温度差、風量等の様々な条件に応じて、ルーバ１５とエアウィング１７との位置情報の対応付けが設定される（詳細は後述する）。
【００５２】
なお、制御装置５０は外部機器と接続するためのＩ／Ｏコネクタ等を備えており、Ｉ／Ｏコネクタを介して外部から対応情報を入力し、予め格納部５１に格納させる。または、これに限定されず、ユーザがリモコンを操作することによって、リモコンを介してユーザが対応情報を新規に作成してもよいし、格納部５１に格納されている対応情報を読み出し、ユーザによるリモコン操作によって読み出した対応情報に適宜変更等を加えてもよい。
【００５３】
制御部５２は、対応情報に基づいて、現在のルーバ１５の位置に対応するエアウィング１７の位置を決定し、決定された位置にエアウィング１７を移動させる。具体的には、制御部５２は、ルーバ１５から吹出される空調風を遮る位置にエアウィング１７を移動させて有効化する制御（例えば、図５及び図７参照）と、空気調和装置１の運転状態に応じて、ルーバ１５から吹出される空調風を遮らない位置にエアウィング１７を移動させて無効化する制御（例えば、図６参照）とを含む。なお、図６では、無効化の一例としてエアウィング１７がパネル本体３と面一になる収納位置（つまり、エアウィング全閉状態）にされているが、エアウィング１７の無効化はこれに限定されず、ルーバ１５から吹出される空調風を遮らない位置に移動されていればよい。
【００５４】
また、制御部５２は、人感センサ３０から取得した検出信号に基づいて、人が居るか居ないかを判定し、人が居ると判定した場合にはエアウィング１７を現在の設定に維持し、人が居ないと判定した場合にはルーバ１５から吹出される空調風を遮らない位置にエアウィング１７を移動させて無効化してもよい。または、制御部５２は、人のいる方向を検出した場合には、複数の吹出し口１４のうち、人が居る方向以外のエアウィング１７を無効化してもよい。
人が検出されない場合には、ドラフト感を考慮する必要がないので、空調風を遮らない位置に移動させてエアウィングを無効化することで、不要な動作を防ぐ。かつ、室内の空気の循環が良くなるので、効率の良い運転をすることが可能である。
本実施形態における制御部５２によるエアウィング１７を制御するトリガは、リモコンを介してユーザ所望のタイミングで指令を取得した場合として説明する。
【００５５】
以下に、格納部５１に格納される対応情報の一例を説明する。
例えば、対応情報は、吹出し口１４ごとに、ルーバ１５の位置情報とエアウィング１７の位置情報とが対応付けられる。ルーバ１５の位置情報とエアウィングの１７の位置情報との対応付けが各吹出し口１４に対して設定されることにより、吹出し口１４ごとにエアウィング１７の有効無効が切り替えられる。これにより、１つの空気調和装置１に対して複数の吹出し口１４が設けられる場合に、複数の吹出し口１４に対して一律に同じエアウィング１７の位置情報が設定される場合と比較して、各吹出し口１４の下にいるそれぞれのユーザの希望に、より沿った動作をさせることができる。
【００５６】
他の例の対応情報は、空気調和装置１の運転モードに応じて、ルーバ１５の位置情報とエアウィング１７の位置情報とが対応付けられてもよい。運転モードとは、例えば、暖房、冷房、除湿、送風等である。これにより、例えば、暖房時にはエアウィング１７を無効化し、冷房時にはエアウィング１７を有効化する等のエアウィング１７の有効無効の切り替えを運転モードに応じて行うことができる。
【００５７】
以下に、本実施形態に係る空気調和システム１００の作用について説明する。
上記空気調和装置１の運転時、室内空気はターボファン４が回転されることにより、パネル本体３の吸込み口１１から吸込みグリル１２、ベルマウス８を経てユニット本体２内に吸込まれる。ユニット本体２内でターボファン４から遠心方向に吹出された空気は、ターボファン４の周囲に配置されている熱交換器５を通過する過程で冷媒と熱交換され、冷却または加熱されて温調された後、吹出し風路７、パネル本体３の四方向に設けられている吹出し口１４から室内に吹出され、室内の空調に供される。
【００５８】
パネル本体３の吹出し口１４から室内に吹出される空調風は、吹出し口１４に設けられているルーバ１５の角度が変更されることで、吹出し方向が調整される。ルーバ１５の角度は、吹出し口１４毎にリモコンによりアクチュエータを介して個別に独立して変更できるため、使用者が任意にその角度を設定し、吹出し方向が調整される。
ルーバ１５の調整によって設定された空調風が、下に居るユーザに不快感を与えているような場合に、ユーザはリモコンを介してエアウィング１７を有効化させる指令を入力する。
【００５９】
入力されたエアウィング１７の有効化指令に基づいて、対応情報が読み出され、参照される。対応情報に基づいて、運転モードや吹出し口１４に応じて設定される現在のルーバ１５の位置に対応するエアウィング１７の位置情報が読み出される。読み出されたエアウィング１７の位置情報に一致するように、エアウィング１７が制御される。
エアウィング１７が制御されることにより、吹出し口１４から吹出される空調風に対向するルーバ方向位置にエアウィング１７がせり出され、ルーバ方向への空調風の流れを遮るように変更されることにより、ドラフト感が低減される。
また、吹出し口１４の下に居る人が積極的にドラフト感を得たい場合に、ユーザがリモコンを介してエアウィング１７を無効化させる指令を入力することで、ルーバ１５から吹出される空調風を遮らない位置にエアウィング１７を移動させてもよい。
【００６０】
以上説明してきたように、本実施形態に係る制御装置５０、及びそれを備えた空気調和システム１００、並びに制御方法によれば、パネル本体３に下向きに開口された吹出し口１４の外側に、パネル本体３に対して面一となる収納位置と、吹出し口１４から吹出される空調風に対向するルーバ方向位置との間で回動自在とされたエアウィング１７を配設し、そのエアウィング１７を収納位置とルーバ方向位置との２位置間において回動自在としている。ルーバ１５の位置情報とエアウィング１７の位置情報とが対応付けられた対応情報に基づいて、現在のルーバ１５の位置に対応するエアウィング１７の位置が決定され、決定されたエアウィング１７の位置となるようにエアウィング１７が回動され、移動される。
【００６１】
ルーバ位置によって吹出し口１４から吹出される空調風が下方に居る人に直接当たることでドラフト感を与えることがあるが、本実施形態によれば、ルーバ１５の位置に応じて決定される位置にエアウィング１７が制御されて空調風の流れを遮り、ドラフト感を低減することができる。
また、ルーバ１５の位置情報とエアウィング１７の位置情報との対応付けが、吹出し口１４ごとにされる場合には、吹出し口１４ごとにエアウィング１７の有効無効を切り替えられ、よりユーザの希望に沿う動作をさせることができる。
また、ルーバ１５の位置情報とエアウィング１７の位置情報との対応付けが、運転モード（例えば、暖房、冷房、除湿、送風等）に応じてなされる場合には、エアウィング１７の有効無効を運転モードごとに設定でき、よりユーザの希望に沿う動作をさせることができる。
【００６２】
［変形例１］
ルーバ１５は、可動範囲（例えば、全閉状態から全開状態）の区間において所定間隔で揺動する設定であるスイング設定が選定されることがある。ルーバ１５は、エアウィング１７を使用時には、エアウィング１７を未使用時のスイングの移動速度よりも、遅い移動速度でスイングさせる。エアウィング１７は、ルーバ１５のスイングに伴って、スイングされる。
このように、エアウィング１７を使用し、かつ、ルーバ１５をスイングさせる設定の場合には、エアウィング１７が未使用でルーバ１５単体をスイングさせるときの速度よりも、ルーバ１５のスイング速度を遅くさせる。これにより、エアウィング１７の動きがルーバ１５に追いつけずに、ルーバ１５からの空調風がエアウィング１７で遮れずに漏れ、空調風を遮れないという状況を防ぎ、確実にドラフト感を防ぐ。
【００６３】
［変形例２］
エアウィング１７が有効化されている場合には、ルーバ１５のスイング設定の選定を禁止するという設定を行ってもよい。これにより、下向きの空調風を確実に防ぐことができる。
【００６４】
［変形例３］
ルーバ１５は、可動範囲（例えば、図４の全閉状態から図７の全開状態）が設定されており、エアウィング１７が無効化されている場合の可動範囲は全可動範囲とし、エアウィング１７が有効化されている場合の可動範囲は、エアウィング１７が無効化されている場合の可動範囲よりも限定して狭い範囲とする。具体的には、ルーバ１５から空調風が吹出す方向が下方向となる全開状態から所定範囲の角度にはルーバ１５を移動できないように、ルーバ１５の可動範囲を限定する（つまり、ルーバ可動範囲を、エアウィング無効化されている場合よりも上方向の可動範囲に限定する）。
これにより、ドラフト感を防ぐとともに、吹出し口１４から吹出された空調風を、吸込み口１１から周囲空気として吸い込んでしまうショートサーキットを防ぐことができる。
【００６５】
［第２実施形態］
以下、本発明の第２実施形態について説明する。本実施形態においては、空気調和システムの運転状態に応じてエアウィングを制御する点で第１実施形態と異なる。本実施形態の空気調和システムについて、第１実施形態と共通する点については説明を省略し、図１から図８を用いて異なる点について主に説明する。
【００６６】
格納部５１に格納される対応情報は、運転モード（冷房、暖房、除湿、送風等）に応じて、それぞれルーバ１５の位置情報とエアウィング１７の位置情報とを対応付ける。具体的には、対応情報は、空気調和装置１の複数の運転モードのうち特定の運転モード（例えば、送風）の場合のルーバ１５の位置情報に対応するエアウィング１７の位置情報を基準情報として保有し、特定の運転モード以外の運転モード（例えば、冷房、暖房、除湿等）の場合のルーバ１５の位置情報に対するエアウィング１７の位置情報は、基準情報からの補正値が設定されている。
【００６７】
補正値は、例えば、冷房・除湿の場合には、「送風時より所定角度（例えば、３°）、下方側の位置に移動させる」という設定とする。また、暖房の場合には、「送風時より所定角度（例えば、３°）、上方側の位置に移動させる」という設定とする。
これは、冷房・除湿の場合は、周囲温度よりも空気調和装置１からの吹出温度が低いため、吹出された空調風が送風時よりも下側に移動する。そのため、エアウィング１７も下側に移動させる。一方、暖房の場合は、周囲温度よりも吹出温度が高いため、吹出された空調風が送風時よりも上側に移動する。そのため、エアウィング１７も上側に移動させる。
送風運転では、吹出される空調風は周囲温度と等しいので、周囲温度と温度差がある空調風のように吹出された空調風が上方に移動したり下方に移動したりすることがないので、送風時のルーバの位置情報に対するエアウィング１７の位置情報を基準にしている。
【００６８】
制御部５２は、対応情報の基準情報に基づいて決定される現在のルーバ１５に対応するエアウィング１７の位置情報を読み出し、読み出されたエアウィング１７の位置情報と補正値に基づいて、エアウィング１７を制御する。
制御部５２によりエアウィング１７を制御させるトリガは、ユーザによって有効無効の指令を取得した場合であってもよいし、空気調和装置１の運転が開始された場合や、運転モードが切り替えられた場合であってもよい。また、制御部５２によりエアウィング１７を制御させるトリガは、吹出温度、ルーバ位置、設定温度、人感センサ３０による人検知等であってもよい。
【００６９】
以下に、本実施形態に係る空気調和システム１００の作用について説明する。ここでは、暖房運転を開始し、その後送風運転に切り替えた場合を例に挙げて説明するが、運転切換えの順序はこれに限定されない。
空気調和装置１の暖房運転が開始されると、対応情報が参照され、暖房運転における現在のルーバ位置に対応するエアウィング１７の位置情報が読み出される。暖房運転におけるエアウィング１７の位置情報は、「送風時の基準情報より３°角度を上方側に移動させる」という補正値が設定されているので、基準情報として設定されているエアウィング１７の位置情報を読み出すとともに、その位置情報に対して３°角度を上方側に移動させた分の位置にエアウィング１７を制御する。
【００７０】
その後、空気調和装置１の運転が送風運転に切り替えられると、対応情報が参照され、送風運転における現在のルーバ位置に対応するエアウィング１７の位置情報、すなわち基準情報が読み出される。エアウィング１７は、基準情報の位置になるように制御される。
【００７１】
以上説明してきたように、本実施形態に係る制御装置５０、及びそれを備えた空気調和システム１００、並びに制御方法によれば、送風運転では、吹出される空調風は周囲温度と等しいので、周囲温度と温度差がある空調風（例えば、冷房運転や除湿運転による冷たい空調風や暖房運転による温かい空調風等）のように吹出された空調風が上方に移動したり下方に移動したりすることがなく、基準にできる。
冷房または除湿の場合は、周囲温度よりも吹き出し温度が低く、吹出した空調風が送風時よりも下側に流れるので、エアウィングを基準より下方側に移動させることで、確実にドラフト感を防ぐことができる。
暖房の場合は、周囲温度よりも吹き出し温度が高いため、吹出した空調風が基準となる送風時よりも上側に流れるので、エアウィングを基準より上方側に移動させることで、確実にドラフト感を防ぐことができる。
【００７２】
［第３実施形態］
以下、本発明の第３実施形態について説明する。本実施形態においては、空気調和装置１の吹出し口から吹き出される空調風の温度条件に応じて、エアウィングを制御する点で第１実施形態、第２実施形態と異なる。本実施形態の空気調和システムについて、第１実施形態、第２実施形態と共通する点については説明を省略し、図１から図８を用いて異なる点について主に説明する。
【００７３】
空気調和装置には、図示しない温度センサが設けられており、温度センサによって検出された検出結果が制御装置５０に出力される。例えば、温度センサは、吹出し口１４から吹出される吹出温度を検出する。
格納部５１に格納される対応情報は、ルーバ１５の位置情報とエアウィング１７の位置情報とが設定されており、かつ、吹出し口１４から吹出される空調風の吹出温度に応じてエアウィング１７の補正値が対応付けられる。
【００７４】
例えば、暖房運転で用いられる対応情報は、吹出温度が第１所定温度（例えば、３５℃）以上である場合と、第１所定温度未満である場合とに応じて設定されている。暖房運転で吹出温度が第１所定温度以上である場合に、ルーバ１５の位置情報に対応するエアウィング１７の位置情報の補正値は、「所定角度上方側にエアウィング１７を移動させる」と設定されており、吹出温度が第１所定温度未満である場合には、ルーバ１５の位置情報に対応するエアウィング１７の位置情報の補正値は「なし」（つまり、補正しない）と設定されている。
【００７５】
これは、空調風の吹出温度が周囲温度よりも高い場合には、吹出された空調風が送風時よりも上側に流れるためであり、エアウィングを上方側に移動させることで、ドラフト感を防ぐことができる。
【００７６】
冷房運転で用いられる対応情報は、吹出温度が第２所定温度（例えば、１５℃）以下である場合と、第２所定温度より大きい場合とに応じて設定されている。冷房運転で、吹出温度が第２所定温度以下である場合には、ルーバ１５の位置情報に対応するエアウィング１７の位置情報の補正値は、「所定角度下方側にエアウィング１７を移動させる」と設定されており、吹出温度が第２所定温度より大きい場合には、ルーバ１５の位置情報に対応するエアウィング１７の位置情報の補正値は「なし」（つまり、補正しない）という設定になっている。
これは、空調風の吹出温度が周囲温度よりも低い場合には、吹出された空調風が送風時よりも下側に流れるためであり、エアウィングを下方側に移動させることで、ドラフト感を防ぐことができる。
【００７７】
制御部５２は、対応情報に基づいて決定される現在のルーバ１５に対応するエアウィング１７の位置情報及び補正値を読み出し、読み出されたエアウィング１７の位置情報及び補正値を勘案した位置にエアウィング１７を制御する。
【００７８】
以上説明してきたように、本実施形態に係る制御装置５０、及びそれを備えた空気調和システム１００、並びに制御方法によれば、空調風の吹出温度が周囲温度よりも高い場合には、吹出された空調風が送風時よりも上側に流れる。そのため、エアウィングを上方側に移動させることで、ドラフト感を防ぐことができる。また、空調風の吹出温度が周囲温度よりも低い場合には、吹出された空調風が送風時よりも下側に流れる。そのため、エアウィングを下方側に移動させることで、ドラフト感を防ぐことができる。
【００７９】
なお、本実施形態においては、温度センサによって吹出温度を検出することとして説明していたが、吹出温度の検出方法はこれに限定されない。例えば、室内熱交温度センサ、室内機の凝縮／蒸発圧力、圧縮機の回転数等によって吹出温度が所定温度以上／以下を判定することとしてもよい。
【００８０】
［第４実施形態］
以下、本発明の第４実施形態について説明する。本実施形態においては、空気調和装置１の吹出し口から吹き出される空調風の温度条件に応じて、エアウィングを制御する点で第１実施形態、第２実施形態、第３実施形態と異なる。本実施形態の空気調和システムについて、第１実施形態、第２実施形態、第３実施形態と共通する点については説明を省略し、図１から図８を用いて異なる点について主に説明する。
【００８１】
空気調和装置１には、図示しない吹出温度センサ及び吸込温度センサが設けられており、吹出温度センサ及び吸込温度センサによって検出された検出結果が制御装置５０に出力される。例えば、吹出温度センサは、吹出し口１４近傍において吹出される空調風の吹出温度を検出し、吸込温度センサは、吸込み口１１近傍において、空気調和装置１の室内機の周囲温度を検出する。
【００８２】
格納部５１に格納される対応情報は、ルーバ１５の位置情報とエアウィング１７の位置情報とが設定されており、かつ、周囲温度と吹出し口１４から吹出される空調風の吹出温度との温度差に応じてエアウィング１７の補正値が対応付けられる。本実施形態においては、対応情報は、空気調和装置１の特定の運転モードを送風とし、送風の場合のルーバ１５の位置情報に対するエアウィング１７の位置情報を基準情報として保有している。
【００８３】
例えば、冷房運転時における対応情報は、周囲温度と吹出温度との温度差が第１所定温度差（第３所定値）（例えば、１０℃）以上である（つまり、周囲温度が吹出温度よりも高い）場合には、「エアウィング１７を所定角度下方側に移動させる」という補正値を設定し、第１所定温度差未満である場合には、ルーバ１５の位置情報に対応するエアウィング１７の位置情報の補正値は「なし」とし、基準情報の位置とする。これは、周囲温度よりも吹出温度が低いため、吹出された空調風が送風時よりも下側に向くことを勘案し、エアウィング１７も下側に移動させる設定としている。
【００８４】
また、暖房運転時における対応情報は、周囲温度と吹出温度との温度差が第１所定温度差以上である（つまり、周囲温度が吹出温度より低い）場合には、「エアウィング１７を所定角度上方側に移動させる」という補正値を設定し、第１所定温度差未満である場合には、ルーバ１５の位置情報に対応するエアウィング１７の位置情報の補正値は「なし」とし、基準情報の位置とする。これは、周囲温度よりも吹出温度が高いため、吹出された空調風が送風時よりも上側に向くことを勘案し、エアウィング１７も上側に移動させる設定としている。
【００８５】
制御部５２は、対応情報に基づいて決定される現在のルーバ１５に対応するエアウィング１７の位置情報及び補正値を読み出し、読み出されたエアウィング１７の位置情報及び補正値を勘案した位置にエアウィング１７を制御する。
【００８６】
以上説明してきたように、本実施形態に係る制御装置５０、及びそれを備えた空気調和システム１００、並びに制御方法によれば、冷房運転の場合には、周囲温度よりも吹出温度が低いため、吹出した空調風が送風時よりも下側に流れることを勘案し、周囲温度と吹出温度との温度差が第１所定温度差以上であれば、エアウィングを下方側に移動させることで、ドラフト感を防ぐことができる。
また、暖房運転の場合には、周囲温度よりも吹出温度が高いため、吹出した空調風が送風時よりも上側に流れることを勘案し、周囲温度と吹出温度との温度差が第１所定温度差以上であれば、エアウィングを上方側に移動させることで、ドラフト感を防ぐことができる。また、冷房運転においても暖房運転においても、第１所定温度差未満の場合には、周囲温度と吹出温度との温度差が小さいのでエアウィング１７の補正はせず、送風時に設定された基準位置のままとする。
【００８７】
［変形例］
サーモオン時の吸込温度とサーモオフ時の吸込温度とを比較し、所定のサーモオンオフ吸込温度差以上である場合にショートサーキットしていると判定し、サーモオン時とサーモオフ時との吸込温度差が、所定のサーモオンオフ吸込温度差未満となるまでルーバ１５またはエアウィング１７を移動させるように構成してもよい。
なお、サーモオン時とサーモオフ時の比較は、例えば、圧縮機運転中と停止中との比較であってもよいし、空調運転しているときと空調運転していないときの比較を意味する。
【００８８】
［第５実施形態］
以下、本発明の第５実施形態について説明する。本実施形態においては、空気調和装置の吹出し口から吹き出される空調風の風量に応じて、エアウィングを制御する点で第１実施形態から第４実施形態と異なる。本実施形態の空気調和システムについて、第１実施形態から第４実施形態と共通する点については説明を省略し、図１から図８を用いて異なる点について主に説明する。
【００８９】
格納部５１に格納される対応情報は、ルーバ１５の位置情報とエアウィング１７の位置情報とが設定されており、かつ、空調風の風量に応じてエアウィング１７の補正値が対応付けられる。また、本実施形態において、対応情報は、空気調和装置１の特定の運転モードを送風とし、送風の場合のルーバ１５の位置情報に対するエアウィング１７の位置情報を基準情報として保有している。
補正値は、例えば、冷房運転で、風量が第１所定風量以下の場合には、エアウィング１７を「送風時より所定角度（例えば、２°）、下方側の位置に移動させる」という設定とする。また、暖房運転で、風量が第１所定風量以下の場合には、エアウィング１７を「送風時より所定角度（例えば、２°）、上方側の位置に移動させる」という補正値を設定する。
【００９０】
第１所定風量は、例えば、風量設定が５段階（例えば、最強、強、中、弱、最弱）で設定されている場合に、「弱以下」のように設定される。
風量が少ないと吹出風速が小さくなり、吹出風速が遅いと冷房として吹出した空調風はより下向きになり、暖房として吹出した空調風はより上向きになる。また、風量が少ない場合は、周囲温度と吹出温度との温度差による浮力の影響が大きくなり、風向がより変化しやすくなる。こうしたことを勘案したことにより、風量が第１所定風量以下の場合には補正値を設定している。
【００９１】
また、冷房運転であっても暖房運転であっても、風量が第１所定風量より大きい場合には、エアウィング１７は基準情報の位置とする。風速が速いと、浮力の影響が少ないので、エアウィング１７の位置を補正しない。
制御部５２は、対応情報の基準情報に基づいて決定される現在のルーバ１５に対応するエアウィング１７の位置情報と補正値を読み出し、読み出されたエアウィング１７の位置情報と補正値に基づいて、エアウィング１７を制御する。
【００９２】
以上説明してきたように、本実施形態に係る制御装置５０、及びそれを備えた空気調和システム１００、並びに制御方法によれば、空調風の風量に応じて、エアウィング１７の位置を決定し、制御する。これにより、空気調和装置１の運転において風量変化が生じた場合であっても、風量の変化に追従してエアウィング１７の位置が補正されるので、より確実にドラフト感を防ぐことができる。
【００９３】
［変形例］
他の例として、空気調和装置１の制御により風量が第２所定風量以下に制御された場合や、リモコンによって設定される風量が、例えば「最弱」等の第２所定風量以下に固定値として設定され空気調和装置１の運転で風量変化が生じることがなくドラフト感を与えないことが想定される場合には、エアウィング１７が空調風を遮らない位置に移動されて無効化され、エアウィング１７による不要な動作を防いでも良い。
【００９４】
［第６実施形態］
以下、本発明の第６実施形態について説明する。本実施形態においては、周囲湿度に応じてエアウィングを制御する点で第１実施形態から第５実施形態と異なる。本実施形態の空気調和システムについて、第１実施形態から第５実施形態と共通する点については説明を省略し、異なる点について主に説明する。
【００９５】
空気調和装置は、室内機の吹込空気の湿度を検出する湿度センサ（図示略）と、吸込空気の温度を検出する温度センサ（図示略）を備えている。
空気調和装置が配置される空調対象領域の周囲湿度が所定湿度以上の場合には、ルーバから吹出される空調風を遮らない位置にエアウィングを移動させて無効化するとよい。
冷風が直接当たる場所は結露しやすいので、エアウィングが結露するおそれがある空調条件の場合には、空調風を遮らない位置に移動させエアウィングを無効化する。これにより、エアウィングの結露が防止される。
なお、結露する範囲は空気調和装置の室内機に予め設定されるものとする。
【００９６】
［第７実施形態］
以下、本発明の第７実施形態について説明する。本実施形態においては、空調負荷に応じてエアウィングを制御する点で第１実施形態から第６実施形態と異なる。本実施形態の空気調和システムについて、第１実施形態から第６実施形態と共通する点については説明を省略し、異なる点について主に説明する。
【００９７】
空気調和装置が運転開始してから所定期間内は、ルーバから吹出される空調風を遮らない位置にエアウィングを移動させて無効化する設定にしてもよい。これにより、空気調和装置の運転開始から所定期間においては、ユーザのドラフト感の回避よりも室内の空調を優先させることにより、室内の空気を設定温度に近づけることができる。
【００９８】
または、空気調和装置に設定される目標設定温度と吸込温度との差が第２所定温度差以上であり、急冷や急暖が必要な場合には、ルーバから吹出される空調風を遮らない位置にエアウィングを移動させて無効化する設定にしてもよい。これにより、空調対象領域である室内の温度が目標設定温度になるまでは、ユーザのドラフト感の回避よりも室内の空調を優先させ、室内の空気を設定温度に近づけることができる。
このように、空気調和装置に設定される空調負荷が大きい場合には、エアウィングを無効化させることにより、室内の温調を優先させることができる。
【００９９】
以上、本発明の実施形態について図面を参照して詳述してきたが、具体的な構成はこの実施形態に限られるものではなく、本発明の要旨を逸脱しない範囲の設計変更なども含まれる。例えば、第１実施形態と第２実施形態とを組み合わせてもよいし、全ての実施形態を組み合わせて用いても良い。
【符号の説明】
【０１００】
１  空気調和装置
３  パネル本体
１４  吹出し口
１５  ルーバ
１７  エアウィング
３０  人感センサ
５０  制御装置
５１  格納部（格納手段）
５２  制御部（制御手段）
１００  空気調和システム
【図１】
0006498598.tif 000002
【図２】
0006498598.tif 000003
【図３】
0006498598.tif 000004
【図４】
0006498598.tif 000005
【図５】
0006498598.tif 000006
【図６】
0006498598.tif 000007
【図７】
0006498598.tif 000008
【図８】
0006498598.tif 000009